(57)【特許請求の範囲】
【請求項１】
壁面に固定するための取付け座部と、一端側が前記取付け座部に取付けられ他端側が前記取付け座部の前方に突出されるアーム部と、該アーム部の他端部に設けられて手摺りを支持する手摺り支持部と、を備える手摺り用ブラケットにおいて、
前記取付け座部が該取付け座部の後面から前方に突出する形状とされていると共に、該取付け座部に、底部を有する挿入穴が、該取付け座部の前面から後面側に延びるようにして形成され、
前記挿入穴の底部に、壁面固定用留め具を挿通させるための留め具挿通孔が、該挿入穴内と該取付け座部の後面外方とを連通するようにして形成され、
前記アーム部の一端側が前記取付け座部の挿入穴内に着脱可能に挿入され、
前記挿入穴の内壁下部に、該挿入穴の前端から内方に向けて案内溝が形成され、
前記アーム部が、該アーム部の他端側が該アーム部の一端側に対して略直角となるように屈曲され、
前記アーム部の一端側外周に、該アーム部の一端近辺において、前記案内溝に摺動可能に嵌合するための突片が形成され、
前記アームの他端側が、前記突片が前記案内溝に嵌合されているときに、前記取付け座部の上部側に向くように設定され、
前記取付け座部の前部下面に、前記案内溝内に臨むようにしてねじ孔が形成され、
前記ねじ孔に、前記アーム部の一端側外周を前記挿入穴の内壁に押し付ける留めねじが螺合され、
前記留めねじの先端部が前記案内溝内に進入可能となるように設定されている、
ことを特徴とする手摺り用ブラケット。
【請求項２】
請求項１において、
前記留め具挿通孔が、横方向に比べて上下方向に長く延びる長孔として形成されている、
ことを特徴とする手摺り用ブラケット。
【請求項３】
請求項２において、
前記取付け座部の後面に、ばね座を収容するためのばね座収容凹所が、前記長孔を包含した状態で形成されている、
ことを特徴とする手摺り用ブラケット。
【発明の詳細な説明】
【技術分野】
【０００１】
本発明は、手摺り用ブラケットに関するものである。
【背景技術】
【０００２】
建物内には、安全を確保するために、壁面に沿って手摺りが設けられている。手摺りは、一般に、複数の手摺り用ブラケットを介して壁面に取付けられており、各手摺り用ブラケットは、手摺りからの荷重を的確に受け止める。
【０００３】
ところで、手摺り用ブラケットは、一般に、特許文献１に示すように、壁面に固定するための取付け座部と、一端側が取付け座部に取付けられ他端側が取付け座部の前方に突出されるアーム部と、該アーム部の他端部に設けられて手摺りを支持する手摺り支持部と、を備えている。そして、このような手摺り用ブラケットを使用するに際しては、取付け座部が壁面固定用留め具をもって壁面に取付けられ、その取付け座部には、カバー部材が装着される。これにより、手摺り用ブラケットが壁面に強固に固定されるだけでなく、壁面固定用留め具がカバー部材により隠されることになり、壁面固定用留め具の露出に基づく見栄えの低下が防止されることになる。
【特許文献１】特開２００３−２７６８６
【発明の開示】
【発明が解決しようとする課題】
【０００４】
しかし、上記手摺り用ブラケットにおいては、カバー部材により壁面固定用留め具が外部に露出しなくなるものの、そのカバー部材を特別に用意しなければならず、部品点数の増大を招くことになる。
【０００５】
本発明は以上のような事情を勘案してなされたもので、その技術的課題は、部品点数の増大を招くことなく、壁面固定用留め具の露出に基づく見栄えの低下を防止できる手摺り用ブラケットを提供することにある。
【課題を解決するための手段】
【０００６】
前記技術的課題を達成するために本発明（請求項１に係る発明）にあっては、
壁面に固定するための取付け座部と、一端側が前記取付け座部に取付けられ他端側が前記取付け座部の前方に突出されるアーム部と、該アーム部の他端部に設けられて手摺りを支持する手摺り支持部と、を備える手摺り用ブラケットにおいて、
前記取付け座部が該取付け座部の後面から前方に突出する形状とされていると共に、該取付け座部に、底部を有する挿入穴が、該取付け座部の前面から後面側に延びるようにして形成され、
前記挿入穴の底部に、壁面固定用留め具を挿通させるための留め具挿通孔が、該挿入穴内と該取付け座部の後面外方とを連通するようにして形成され、
前記アーム部の一端側が前記取付け座部の挿入穴内に着脱可能に挿入され、
前記挿入穴の内壁下部に、該挿入穴の前端から内方に向けて案内溝が形成され、
前記アーム部が、該アーム部の他端側が該アーム部の一端側に対して略直角となるように屈曲され、
前記アーム部の一端側外周に、該アーム部の一端近辺において、前記案内溝に摺動可能に嵌合するための突片が形成され、
前記アームの他端側が、前記突片が前記案内溝に嵌合されているときに、前記取付け座部の上部側に向くように設定され、
前記取付け座部の前部下面に、前記案内溝内に臨むようにしてねじ孔が形成され、
前記ねじ孔に、前記アーム部の一端側外周を前記挿入穴の内壁に押し付ける留めねじが螺合され、
前記留めねじの先端部が前記案内溝内に進入可能となるように設定されている構成としてある。この請求項１の好ましい態様としては、請求項２以下の記載の通りとなる。
【発明の効果】
【０００７】
請求項１に係る発明によれば、取付け座部に、底部を有する挿入穴が形成され、その挿入穴の底部に、壁面固定用留め具を挿通させるための留め具挿通孔が形成されていることから、その留め具挿通孔に壁面固定用留め具を挿通させて、その留め具により取付け座部を壁面に取付けることができ、この後、手摺りを支持させるべく、挿入穴内にアーム部の一端側を挿入すれば、そのアーム部により壁面固定用留め具が隠れ、壁面固定用留め具が外部に露出することはなくなる。このため、カバー部材を特別に用意する必要がなくなり、部品点数の増大を招くことなく、壁面固定用留め具の露出に基づく見栄えの低下を防止できる。
【０００８】
【０００９】
また、挿入穴内壁下部に、挿入穴の前端から内方に向けて案内溝が形成され、アーム部が、アーム部の他端側がアーム部の一端側に対して略直角となるように屈曲され、アーム部の一端側外周に、案内溝に摺動可能に嵌合するための突片が形成され、アームの他端側が、突片が案内溝に嵌合されているときに、取付け座部の上部側に向くように設定され、取付け座部に、アーム部の一端側外周を挿入穴の内壁に押し付ける留めねじが設けられていることから、アーム部の一端側を挿入穴に挿入するだけの作業により、アーム部を正規の使用姿勢状態に確実に保持できるだけでなく、その状態を維持しつつ、挿入穴に対するアームの一端側の進入量を調整できると共に、留めねじにより、そのアーム部の位置を固定できることになる。このため、取付け座部からのアーム部の突出量を所望のものにして、手摺り取付けの作業性、自由度を高めることができる。
【００１０】
さらに、アーム部の一端側外周に、そのアーム部の一端近辺において突片が形成され、留めねじが取付け座部の前部下面に配置されていると共に、留めねじの先端部が案内溝内に進入可能となるように設定されていることから、案内溝、突片、留めねじによりアーム部を正規の使用姿勢状態に確実に保持できるだけでなく、留めねじの先端部が、アーム部の突片の移動領域に臨んで、アーム部が取付け座部から抜け出ることを確実に防止できる。
【００１１】
【００１２】
請求項２に係る発明によれば、留め具挿通孔が、横方向に比べて上下方向に長く延びる長孔として形成されていることから、壁面が精度良く平坦な垂直面に形成されていなくても、壁面固定用留め具の向きを、上記長孔により多少、変更して、その壁面に対応させることできることになり、壁面に対する壁面固定用留め具の取付け自由度を高めることができる。
【００１３】
請求項３に係る発明によれば、取付け座部の後面に、ばね座を収容するためのばね座収容凹所が、長孔を包含した状態で形成されていることから、そのばね座収容凹所内にばね座を収容して用いることにより、取付け座部を取付けるための壁面の平坦性、平滑性が多少、低下していても、壁面固定用留め具の緩みを防止して長期に亘って取付け座部を壁面に安定して固定できる。
【発明を実施するための最良の形態】
【００１４】
図１〜図３において、符号１Ａは、建築物の壁体の壁面であり、その壁面１Ａには棒状の手摺り２が実施形態に係る複数の手摺り用ブラケット３を介して取付けられている(図中においては１つのみ示す）。その各ブラケット３は、取付け座部４と、アーム部５と、手摺り支持部６と、をそれぞれ備えており、これらは、本実施形態においては、ロストワックス法を用いて製造され、それら表面は、錆難くするために電解研磨処理が施されている（ＳＵＳ３１６相当）。
【００１５】
前記取付け座部４は、図１〜図３に示すように、壁面１Ａに直接取付けられて、アーム部５を保持するものである。この取付け座部４は、図１〜図５に示すように、その後面４Ａが、壁面１Ａ取付け時にその壁面１Ａに沿わせるべく平坦面として形成されている一方、その後面４Ａから前面４Ｂ側に向けて突出する形状とされている。この突出形状は、後面４Ａ側から前面４Ｂ側に向かうに従って次第に縮径されたものとなっており、その前面４Ｂは、正面視円形状の平坦面をもって、後面４Ａに対して一定間隔（例えば３．５ｃｍ前後）をあけつつ、平行に配置されている。特に本実施形態においては、荷重を効果的に受けるべく、取付け座部４の上部４Ｃが、前面４Ｂ及び後面４Ａに対して略垂直に延びて、壁面１Ａに対する取付け時に水平状態となるようにされている一方、その下部４Ｄは、前面４Ｂ側に比して後面４Ａ側ほど下側に位置されて、壁面１Ａに対する取付け時にはその壁面１Ａに近づくほど下側に向けて進むように傾斜されている。尚、取付け座部４は、前面４Ｂと後面４Ａとの間の周面が滑らかな曲面をもって形成されており、取付け座部４は、ソフトなデザインとされている。
【００１６】
前記取付け座部４には、図１〜図５に示すように、壁面固定用留め具１２及びアーム部５を挿入すべく、挿入穴７が形成されている。挿入穴７は、取付け座部４の前面４Ｂから後面４Ａ側に延びるようにして形成されており、その挿入穴７は、円形部８と案内溝部９とにより形成されて、その開口形状は非円形とされている。円形部８は、挿入穴７における開口の大部分を構成しており、その円形部８は、取付け座部４の前面４Ｂから後述の底部１０まで同一の円形状の径をもって延びている。案内溝部９は、挿入穴７の内壁下部に位置されており、その一端は取付け座部４の前面４Ｂから外部に開口され、その他端側は挿入穴７の軸心延び方向内方に向けて延ばされている。
【００１７】
前記挿入穴７内には、図３に示すように底部１０が設けられている。底部１０は、図３〜図５に示すように、取付け座部４の後面４Ａ側近傍に配置されており、この底部１０には、挿入穴７内を後面４Ａ外方に連通させるべく留め具挿通孔１１が形成されている。また、この挿入穴７内には、図３に示すように、取付け座部４を壁面１Ａに取付けるに際して、留め具１２が挿入されることになっている。この留め具１２は、その頭部１２ｂが挿入穴７内に位置される一方、その軸部１２ａが留め具挿通孔１１を貫通して延び、その貫通した軸部１２ａは、壁内に予め埋め込まれたインサートナット２０に、頭部１２ｂが底部１０を介して取付け座部４を壁面１Ａに押し付けるまでねじ込まれることになっている。このとき、留め具１２が挿入穴７内に挿入された状態になることから、六角レンチによるねじ込みを可能とすべく、その留め具１２として、その頭部１２ｂ上面に、六角レンチを係合させるための係合穴１２ｃが形成されたものが用いられる。
【００１８】
前記留め具挿通孔１１は、図４，図５に示すように、長孔として形成されている。この長孔である留め具挿通孔１１は、その長軸が上下方向を向くように配置されており、取付け座部４の後面４Ａを壁面１Ａに宛うときにも、留め具挿通孔１１は、その長軸が上下方向を向くように配置されることになっている。これにより、長孔である留め具挿通孔１１を利用して留め具１２の向き(軸心延び方向）を若干、変えることができることになり、壁面１Ａが精度良く平坦な垂直面に形成されていない場合や、壁内に埋め込まれるインサートナット２０のねじ孔の向きが適正な状態から多少、ずれていても、留め具１２を的確にねじ込むことができることになる。
【００１９】
前記取付け座部４の後面４Ａには、図３〜図５に示すように、ばね座収容凹所１３が形成されている。このばね座収容凹所１３は、前記挿入穴７の径よりも大きな径をもって、該挿入穴７に対して同心状に配置されており、そのばね座収容凹所１３内に留め具挿通孔１１が開口されている。このばね座収容凹所１３内には、ばね座１４が収納されることになり、前述の留め具１２の軸部１２ａは、留め具挿通孔１１だけでなく、このばね座１４も貫通して外方に延びることになる。
【００２０】
前記取付け座部４には、図１〜図４に示すようにねじ孔１５が形成されている。このねじ孔１５は、取付け座部４における前部下面に形成されており、そのねじ孔１５は、前記案内溝部９の底部からその案内溝部９内に開口されている。このねじ孔１５には留めねじ１６が螺合されており、その留めねじ１６は、案内溝部９を横切って挿入穴７（円形部８内）内に進入できることになっている。
【００２１】
前記アーム部５は、図１〜図３，図６，図７に示すように、本実施形態においては、円柱状部材により形成されている。このアーム部５は、その延び方向略中央部において屈曲されており、そのアーム部５の一端部５ａと他端部５ｂとは略直角な角度を形成している。このアーム部５の一端部５ａには、その先端付近において突片部１７が設けられており、その突片部１７は、アーム部５の他端部５ｂの延び方向とは逆方向に突出されている。このアーム部５の一端部５ａは、取付け座部４が壁面１Ａに取付けられた後に、突片部１７を取付け座部前面４Ｂにおける案内溝部９の一端（開口端）から進入させつつ、挿入穴７内に挿入されることになっており、これにより、アーム部５の一端部５ａは、挿入穴７に対して相対回転不能となり、アーム部５は、その他端部５ｂが上方に延びる正規の使用姿勢状態に保持されることになる。
また、アーム部５の一端部５ａは、挿入穴７内への挿入に際し、その挿入された状態で変位動できることになっている。これにより、取付け座部４に対するアーム部一端部５ａの進入量を調整して、壁面１Ａからの手摺り２の離間位置を適宜、調整できることになっている。この調整後のアーム部一端部５ａの位置については、前述の留め具１６によってアーム部５の一端部５ａを挿入穴７内壁（円形部８）に押し付けることにより、固定される。
【００２２】
前記手摺り支持部６は、アーム部５の他端部５ｂに一体的に形成されている。手摺り支持部６は、アーム部５の他端部５ｂを横切るように配置されており、その上面は、手摺り２を的確に受け止めるべく、アーム部他端部５ｂの軸心延び方向内方側に凸となる湾曲面を形成している。この手摺り支持部６には、アーム部５の他端部５ｂを基準として両側においてねじ挿通孔１８が形成されており、この両ねじ挿通孔１８を利用して、手摺り支持部６上に載置される手摺り２にねじ１９がそれぞれねじ込まれることになっている。
【００２３】
次に、このようなブラケット３の使用方法(取付け方法）について具体的に説明する。
先ず、取付け座部４が壁面１Ａに取付けられる。この取付け座部４の取付けに先立ち、その取付け座部４におけるばね座収容凹所１３内にばね座１４が収容されると共に、留め具１２が、その軸部１２ａを留め具挿通孔１１に向くようにしつつ挿入穴７内に挿入される。その上で、取付け座部４の後面４Ａが壁面１Ａに宛われ、留め具１２の軸部１２ａが留め具挿通孔１１及びばね座１４を経て壁内に予め埋め込まれたインサートナット２０にねじ込まれる。これにより、留め具１２の頭部１２ｂが底部１０を介して取付け座部４を壁面１Ａに押し付けることになり、取付け座部４は、壁面１Ａに固定される（押し付け固定）。
【００２４】
この場合、壁面１Ａが精度良く平坦な垂直面に形成されていない場合であっても、留め具挿通孔１１が長孔であることから、留め具１２の向きを若干、変えることができることになり、壁内のインサートナット２０に的確に螺合できることになる。しかも、ばね座収容凹所１３内にばね座１４が収納されており、取付け座部４を取付けるための壁面１Ａの平坦性、平滑性が多少、低下していても、留め具１２の緩みを防止できることになる。
【００２５】
次に、アーム部５の一端部５ａが、突片部１７を取付け座部前面４Ｂにおける案内溝部９の一端開口端から進入させつつ、挿入穴７内に挿入される。これにより、アーム部５の一端部５ａが挿入穴７に対して相対回転不能となり、アーム部５は、その他端部５ｂが上方に向けて延びる正規の使用姿勢状態になると共に、その状態が保持される。
【００２６】
次に、挿入穴７内に対してアーム部５の一端部５ａを変位動させることによりその突出量が調整され、その調整の後、留めねじ１６がねじ込まれる。これにより、挿入穴７内面（円形部８）にアーム部５の一端部５ａが留めねじ１６により押し付けられることになり、アーム部５の一端部５ａの突出量は所望の状態で固定される。このとき、留めねじ１６が、案内溝部９内に、突片部１７よりも前側に位置していることから、挿入穴７に対するアーム部５の一端部５ａの押し付けが仮に緩んだとしても、留めねじ１６の軸部が案内溝部９内に存在する限り、留めねじ１６は、該留めねじ１６よりも前側に突片部１７が移動することを規制することになり、アーム部５が挿入穴７から抜け落ちることが防止される。
【００２７】
次に、手摺り２を手摺り支持部６に載せ、ねじ挿通孔１８から留めねじ１９を手摺り２にねじ込む。これにより、手摺り２が手摺り支持部６に固定されることになり、手摺り２が壁面１Ａに取付けられたことになる。尚、１つのブラケット３に着目して説明したが、このようなブラケット３は複数用いられており、それらは、所定間隔毎に配設されている。
【００２８】
したがって、手摺り２を壁面１Ａに取付けるに際して、上記ブラケット３を用いれば、アーム部５により留め具１２が隠され、その留め具１２が外部に露出することがなくなることから、カバー部材を特別に用意しなくても、留め具１２の露出に基づく見栄えの低下を防止できることになる。
また、取付け座部４における案内溝部９とアーム部５の突片部１７とにより、アーム部５の一端部５ａを挿入穴７に挿入するだけの作業により、アーム部５を正規の使用姿勢状態に確実に保持でき、さらには、アーム部５を正規の使用姿勢状態に維持しつつ、挿入穴７に対するアームの一端部５ａの進入量（突出量）を調整できることになり、手摺り２の取付けの作業性、取付け自由度を高めることができる。
【００２９】
以上、実施形態について説明したが本発明にあっては、次のような態様を包含する。
（１）挿入穴７の開口、アーム部５一端部５ａの断面形状を、楕円、多角形等の非円形として、アーム部一端部５ａを挿入穴７内に挿入したとき、アーム部一端部５ａを挿入穴７に対して相対回転不能とすること。
（２）アーム部５の一端部５ａに案内溝部９を形成し、その案内溝部９に嵌合する突片部１７を挿入穴７内面に形成すること。
（３）アーム部５の屈曲の程度は、略直角に限定されず、適宜、決められること。
（４）案内溝部９に嵌合する要素を、突片部１７としてではなく、アーム部５の一端部５ａにおいてその延び方向に延びる突部とすること。
【００３０】
尚、本発明の目的は、明記されたものに限らず、実質的に好ましい或いは利点として記載されたものに対応したものを提供することをも含むものである。
【図面の簡単な説明】
【００３１】
【図１】実施形態に係るブラケットにより手摺りが壁面に取付けられた状態を部分的に示す正面図。
【図２】図２を右側面から見た右側面図。
【図３】実施形態に係るブラケットを示す縦断面図。
【図４】実施形態に係る取付け座部を示す正面図。
【図５】実施形態に係る取付け座部を示す背面図。
【図６】実施形態にアーム部及び手摺り支持部を示す正面図。
【図７】図６の右側面図。
【符号の説明】
【００３２】
１Ａ  壁面
２  手摺り
３  ブラケット
４  取付け座部
４Ａ  後面
４Ｂ  前面
５  アーム部
６  手摺り支持部
９  案内溝部
１０  底部
１１  留め具挿通孔
１２  壁面固定用留め具
１３  ばね座収容凹所
１４  ばね座
１６  留めねじ
１７  突片部
【要約】
【課題】  部品点数の増大を招くことなく、壁面固定用留め具の露出に基づく見栄えの低下を防止できる手摺り用ブラケットを提供する。
【解決手段】取付け座部４が該取付け座部４の後面４Ａから前方に突出する形状とされていると共に、該取付け座部４に、底部１０を有する挿入穴７が、該取付け座部４の前面４Ｂから後面４Ａ側に延びるようにして形成されている。その挿入穴７の底部１０には、壁面固定用留め具を挿通させるための留め具挿通孔１１が形成され、その挿入穴７内には、アーム部５の一端側が着脱可能に挿入されている。この構成の下で、留め具挿通孔１１に壁面固定用留め具１２を挿通させて、その留め具１２により取付け座部４を壁面１Ａに取付け、その留め具１２を、挿入穴７内に挿入されるアーム部５の一端側により隠す。
【選択図】        図３【図１】
0004214166.tif 000002
【図２】
0004214166.tif 000003
【図３】
0004214166.tif 000004
【図４】
0004214166.tif 000005
【図５】
0004214166.tif 000006
【図６】
0004214166.tif 000007
【図７】
0004214166.tif 000008